(57)【要約】【課題】放送受信装置の直感的かつ確実な遠隔操作を、容易に実現可能とすること。【解決手段】テレビ（１０）は、マウス（２０）から操作信号を受信する操作信号受信部（２０２）と、上記操作信号に基づいてゼスチャー操作を特定するゼスチャー操作特定部（２０４）と、特定されたゼスチャー操作に対応する機能を特定する機能特定部（２０６）と、特定された機能を実行する機能実行部（２０８）とを備える。【選択図】図１
2014068074.tif 000002
【特許請求の範囲】
【請求項１】
放送受信装置用の制御装置であって、
操作入力体の移動操作に応じた操作信号を、当該操作入力体から受信する操作信号受信手段と、
前記操作信号受信手段によって受信された前記操作信号に基づいて、前記操作入力体によるゼスチャー操作を特定するゼスチャー操作特定手段と、
前記ゼスチャー操作特定手段によって特定された前記ゼスチャー操作に対応する、前記放送受信装置の機能を特定する機能特定手段と、
前記機能特定手段によって特定された前記機能を実行する機能実行手段と
を備えることを特徴とする制御装置。
【請求項２】
前記操作入力体は、前記放送受信装置と有線接続されたものである
ことを特徴とする請求項１に記載の制御装置。
【請求項３】
前記操作入力体は、マウスである
ことを特徴とする請求項１または２に記載の制御装置。
【請求項４】
ユーザにより、任意の前記ゼスチャー操作に対して、任意の前記機能を割り当てることが可能である
ことを特徴とする請求項１から３のいずれか一項に記載の制御装置。
【請求項５】
前記機能特定手段によって特定された前記機能に対応する、当該放送受信装置のリモコン信号を生成するリモコン信号生成手段をさらに備え、
前記機能実行手段は、
前記リモコン信号生成手段によって生成された前記リモコン信号に従って、前記機能特定手段によって特定された前記機能を実行する
ことを特徴とする請求項１から４のいずれか一項に記載の制御装置。
【請求項６】
前記ゼスチャー操作特定手段は、
前記操作信号に基づいて、前記操作入力体による複数の移動操作の組み合わせを特定し、特定された前記組み合わせに基づいて、前記操作入力体によるゼスチャー操作を特定する
ことを特徴とする請求項１から５のいずれか一項に記載の制御装置。
【請求項７】
前記ゼスチャー操作は、
前記操作入力体の所定のボタンを押しながらの前記操作入力体の移動操作を含む
ことを特徴とする請求項１から６のいずれか一項に記載の制御装置。
【請求項８】
請求項１から７のいずれか一項に記載の制御装置を備えることを特徴とするテレビジョン受像機。
【請求項９】
放送受信装置用の制御装置であって、
操作入力体の移動操作に応じた操作信号を、当該操作入力体から受信する操作信号受信手段と、
前記操作信号受信手段によって受信された前記操作信号に基づいて、前記操作入力体によるゼスチャー操作を特定するゼスチャー操作特定手段と、
前記ゼスチャー操作特定手段によって特定された前記ゼスチャー操作に対応する、前記放送受信装置の機能を特定する機能特定手段と、
前記機能特定手段によって特定された前記機能に対応する、当該放送受信装置のリモコン信号を生成するリモコン信号生成手段と、
前記リモコン信号生成手段によって生成された前記リモコン信号を送出するリモコン信号送出手段と
を備えることを特徴とする制御装置。
【請求項１０】
放送受信装置による制御方法であって、
操作入力体の移動操作に応じた操作信号を、当該操作入力体から受信する操作信号受信工程と、
前記操作信号受信工程において受信された前記操作信号に基づいて、前記操作入力体によるゼスチャー操作を特定するゼスチャー操作特定工程と、
前記ゼスチャー操作特定工程において特定された前記ゼスチャー操作に対応する、前記放送受信装置の機能を特定する機能特定工程と、
前記機能特定工程において特定された前記機能を実行する機能実行工程と
を含むことを特徴とする制御方法。
【請求項１１】
コンピュータを請求項１から７のいずれか一項に記載の制御装置として機能させるためのプログラムであって、前記コンピュータを前記制御装置が備える前記各手段として機能させるプログラム。
【請求項１２】
請求項１１に記載のプログラムを記録しているコンピュータ読み取り可能な記録媒体。
【発明の詳細な説明】
【技術分野】
【０００１】
本発明は、制御装置、テレビジョン受像機、制御方法、プログラム、および記録媒体に関する。
【背景技術】
【０００２】
従来、多くのＴＶ（テレビジョン受像機）は、リモコン装置が備え付けられており、当該リモコン装置によって、各種遠隔操作を行うことが可能となっている。その一方、リモコン装置以外の装置によって、ＴＶを遠隔操作する技術が考案されている。備え付けのリモコン装置では、遠隔操作の方法や、対象とする機能が、予め定められたものに限定されるからである。
【０００３】
例えば、下記特許文献１には、パーソナルコンピュータが備えるマウスに、ＴＶのリモコン機能を設ける技術が開示されている。具体的には、下記特許文献１には、マウスの上下方向／左右方向の動きに応じて、ＴＶのリモコン操作に応じた赤外線信号を出力することで、ＴＶのチャンネル切り替え／ボリューム調整を制御することが記載されている。
【０００４】
また、下記特許文献２には、パッドマウスとスイッチとを備えたマウスリモコンにより、ＴＶを遠隔操作する技術が開示されている。具体的には、下記特許文献２には、マウスリモコンが操作されると、遠隔操作信号（赤外線または電波）がＴＶに送信され、これにより、ＴＶのグラフィックメニュー／電源オン／チャンネル切換え／ボリューム調整を制御することが記載されている。
【０００５】
また、下記特許文献３には、リモコン装置に対して赤外線を照射し、その反射光からリモコン装置の動き（ゼスチャーパターン）を検出し、検出された動きに応じた機能を実行する、テレビジョン受像機が開示されている。
【先行技術文献】
【特許文献】
【０００６】
【特許文献１】特開２００６−８０７２４号公報（２００６年３月２３日公開）
【特許文献２】特開平７−１１５６９０号公報（１９９５年５月２日公開）
【特許文献３】特開２０１０−４５７３０号公報（２０１０年２月２５日公開）
【発明の概要】
【発明が解決しようとする課題】
【０００７】
しかしながら、上記特許文献１〜３の技術は、いずれも、専用の装置を開発する必要があり、容易に実現することができない。
【０００８】
例えば、上記特許文献１に記載されている技術は、パーソナルコンピュータに接続されたマウスを用いることが前提となっている。したがって、パーソナルコンピュータが設置されていない環境では、実現することができない。
【０００９】
また、上記特許文献２に記載されている技術は、パッドマウスとスイッチとを備えたマウスリモコンを用いている。このようなマウスリモコンは一般的に利用されているとはいい難く、大概、専用のマウスリモコンを開発する必要がある。
【００１０】
また、上記特許文献３に記載されている技術は、専用の赤外線照射装置をテレビジョン受像機に実装する必要があり、汎用的ではないうえ、コストが嵩む。
【００１１】
さらに、上記特許文献１〜３の技術では、操作内容をＴＶへ伝達するための媒体として、いずれも赤外線を用いているため、赤外線の送受信装置の向きや、周囲の環境によっては、操作内容をＴＶへ確実に伝達することができない。
【００１２】
さらに、上記特許文献３に記載されている技術は、リモコン装置の動きをテレビジョン受像機に認識させるために、ユーザはオーバーアクションを取る必要があり、操作性および検出精度が高いとはいえない。
【００１３】
本発明は、上記の問題に鑑みてなされたものであり、その目的は、放送受信装置の直感的かつ確実な遠隔操作を、容易に実現可能とすることにある。
【課題を解決するための手段】
【００１４】
上記した課題を解決するため、本発明に係る制御装置は、放送受信装置用の制御装置であって、操作入力体の移動操作に応じた操作信号を、当該操作入力体から受信する操作信号受信手段と、前記操作信号受信手段によって受信された前記操作信号に基づいて、前記操作入力体によるゼスチャー操作を特定するゼスチャー操作特定手段と、前記ゼスチャー操作特定手段によって特定された前記ゼスチャー操作に対応する、前記放送受信装置の機能を特定する機能特定手段と、前記機能特定手段によって特定された前記機能を実行する機能実行手段とを備えることを特徴とする。
【発明の効果】
【００１５】
本発明によれば、放送受信装置の直感的かつ確実な遠隔操作を、容易に実現可能とすることができる。
【図面の簡単な説明】
【００１６】
【図１】本発明の第１実施形態に係るテレビのハードウェア構成を示すブロック図である。
【図２】本発明の第１実施形態に係るテレビの機能構成を示すブロック図である。
【図３】本発明の第１実施形態に係るテレビによる、遠隔操作制御処理の手順を示すフローチャートである。
【図４】本発明の第１実施形態に係るテレビが使用するマウス操作信号のデータ構造を示す。
【図５】本発明の第１実施形態に係るテレビが対象とするゼスチャー操作の具体例を示す。
【図６】図５に示す各ゼスチャー操作に対応する、複数の移動操作の組み合わせを示す。
【図７】本発明の第２実施形態に係るテレビの機能構成を示すブロック図である。
【図８】本発明の第２実施形態に係るテレビによる、遠隔操作制御処理の手順を示すフローチャートである。
【図９】本発明の第３実施形態に係るテレビおよびマウスの機能構成を示すブロック図である。
【図１０】本発明の第３実施形態に係るテレビおよびマウスによる、遠隔操作制御処理の手順を示すシーケンス図である。
【発明を実施するための形態】
【００１７】
以下、本発明の実施形態について、図面を用いて説明する。
【００１８】
〔第１実施形態〕
〔テレビ１０のハードウェア構成〕
はじめに、図１を参照して、本発明の第１実施形態に係るテレビ１０のハードウェア構成について説明する。図１は、本発明の第１実施形態に係るテレビ１０のハードウェア構成を示すブロック図である。
【００１９】
図１に示すテレビ１０は、放送番組コンテンツ（例えば、地上デジタル放送の放送番組コンテンツや、ＢＳ／ＣＳデジタル放送の放送番組コンテンツ等）をユーザに視聴させることができる、いわゆるテレビジョン受像機（放送受信装置）である。
【００２０】
図１に示すように、テレビ１０は、チューナ１１０、表示制御回路１２０、ディスプレイ１２２、音声出力回路１３０、スピーカ１３２、通信インタフェース１４０、外部機器インタフェース１５０、赤外線受光部１５５、および制御回路１６０を備えている。
【００２１】
（チューナ１１０）
チューナ１１０は、放送局から放送された放送番組コンテンツを受信する。例えば、チューナ１１０によって受信された放送番組コンテンツは、直ちに、その映像データが表示制御回路１２０へ送信され、その音声データが音声出力回路１３０へ送信される。テレビ１０において、チューナ１１０の搭載形態は様々である。例えば、テレビ１０として、ある放送種別のチューナ１１０（例えば、地上デジタルチューナ）を１つ備えているもの、放送種別が異なる複数のチューナ１１０（例えば、地上デジタルチューナおよびＢＳ／ＣＳデジタルチューナ）を備えているもの、放送種類が同一の複数のチューナ（例えば、Ｗチューナ）を備えているもの、等が用いられ得る。
【００２２】
（表示制御回路１２０、ディスプレイ１２２）
表示制御回路１２０は、受け取った表示データに従って、表示対象の映像（例えば、放送番組コンテンツの映像、各種設定画面、番組表等）をディスプレイ１２２に表示させる。ディスプレイ１２２として、液晶ディスプレイ、有機ＥＬディスプレイ、プラズマディスプレイ、ブラウン管ディスプレイ等が採用され得る。
【００２３】
（音声出力回路１３０、スピーカ１３２）
音声出力回路１３０は、受け取った音声データに従って、出力対象の音声（例えば、放送番組コンテンツの音声、各種案内音声、読み上げ音声等）をスピーカ１３２から出力させる。
【００２４】
（通信インタフェース１４０）
通信インタフェース１４０は、通信ネットワークに接続可能であり、当該通信ネットワークへの通信接続、および、当該通信ネットワークを介した外部機器とのデータ通信を制御する。通信インタフェース１４０には、ＬＡＮインタフェース、Ｗｉ−Ｆｉ（Wireless Fidelity）等が採用され得る。例えば、テレビ１０は、通信インタフェース１４０によってインターネットにアクセスすることで、インターネットからコンテンツをダウンロードして再生したり、インターネットからテレビ番組情報等の各種情報を取得して表示したり、インターネットに対して懸賞の応募情報等の各種情報を送信したりすることが可能となる。
【００２５】
（外部機器インタフェース１５０）
外部機器インタフェース１５０は、外部機器が接続可能であり、外部機器との通信を制御する。図１に示すように、外部機器インタフェース１５０には、マウス２０を接続することが可能となっている。外部機器インタフェース１５０にマウス２０が接続されることで、テレビ１０は、マウス２０による遠隔操作が可能となる。マウス２０としては、主にパーソナルコンピュータ用として販売されている、一般的なものを利用することができる。したがって、ユーザは、自分の好みに適したマウスを、テレビ１０の操作用として利用することができる。本実施形態では、マウス２０としてパーソナルコンピュータ用のＵＳＢマウスを用いることとする。例えば、マウス２０は、テレビ１０に対して、標準デバイスクラスであるＨＩＤ（Human Interface Device）クラスデバイスとして動作する。したがって、マウス２０とアプリケーションとの間におけるＵＳＢのスタックにおいて、各階層間（アプリケーションとＣＤ（Class Driver）との間、ＣＤとＢＤ（Bus Driver）との間、ＢＤとＨＣＤ（Host Controller Driver）との間、および、ＨＣＤとHost Controllerとの間）の通信プロトコルには、標準のものを利用することができる。外部機器インタフェース１５０には、ＵＳＢ、Ｂｌｕｅｔｏｏｔｈ（登録商標）、ＨＤＭＩ（High-Definition Multimedia Interface）等が採用され得る。なお、外部機器インタフェース１５０には、ＨＤＤ（Hard disk drive）レコーダ、ＢＤ（Blu-ray Disc）レコーダ等の、各種録画機器を接続することも可能である。なお、図１では、マウス２０をテレビ１０の外部に示しているが、本実施形態のテレビ１０を、“マウス２０を備えたテレビ１０”と表現することもできる。
【００２６】
（赤外線受光部１５５）
赤外線受光部１５５は、リモコン３０からリモコン信号として送信された赤外線を受光する。赤外線受光部１５５がリモコン信号を受信すると、テレビ１０においては、そのリモコン信号に応じた機能（例えば、選局、音量調整、電源切り替え、入力切り替え、各種設定等）が実行される。なお、図１では、リモコン３０をテレビ１０の外部に示しているが、本実施形態のテレビ１０を、“リモコン３０を備えたテレビ１０”と表現することもできる。
【００２７】
（制御回路１６０）
制御回路１６０は、プロセッサとしてＣＰＵ１６２を備え、メモリとしてＲＯＭ（Read Only Memory）１６４およびＲＡＭ（Random Access Memory）１６６を備えて構成されており、上記メモリに記憶されているプログラムをＣＰＵ１６２が実行することにより、テレビ１０の各部を制御したり、テレビ１０の各機能を実行したりする。
【００２８】
〔遠隔操作制御機能〕
以下、テレビ１０が備える遠隔操作制御機能について説明する。ここでいう遠隔操作制御機能とは、マウス２０またはリモコン３０によって遠隔操作が行われた場合に、その操作に応じたテレビ機能を特定し、特定されたテレビ機能を実行する機能のことである。例えば、この遠隔操作制御機能は、図１に示す制御回路１６０によって実現される。なお、テレビ１０が備えるその他の機能については、一般的なテレビジョン受像機が備える機能と同様であるため、説明を省略する。
【００２９】
テレビ１０が備える各機能は、１のＣＰＵで実現されてもよく、複数のＣＰＵで実現されてもよい。後者の場合、複数の機能を、複数のＣＰＵが分担して行うようにしてもよい。例えば、テレビ１０において、制御回路１６０を、メインＣＰＵとサブＣＰＵとを備える構成としてもよい。または、テレビ１０において、制御回路１６０にメインＣＰＵを備え、制御回路１６０の外部にサブＣＰＵを備える構成としてもよい。
【００３０】
この場合、例えば、リモコンコードのデコードを行う際には、サブＣＰＵでリモコンコードのデコードをおこない、サブＣＰＵからメインＣＰＵへ、デコード後のリモコンコードを受け渡し、そして、メインＣＰＵによって以降の処理を実行する構成としてもよい。または、メインＣＰＵによって、リモコンコードのデコード、および、以降の処理を実行する構成としてもよい。
【００３１】
〔テレビ１０の機能構成〕
次に、図２を参照して、本発明の第１実施形態に係るテレビ１０の機能構成について説明する。図２は、本発明の第１実施形態に係るテレビ１０の機能構成を示すブロック図である。
【００３２】
図２に示すように、テレビ１０は、記憶部２００、操作信号受信部２０２、ゼスチャー操作特定部２０４、機能特定部２０６、リモコン信号受信部２０７、および機能実行部２０８を備えている。
【００３３】
（記憶部２００）
記憶部２００は、マウス２０によるゼスチャー操作と、テレビ１０が備えるテレビ機能との対応付けを記憶する。例えば、記憶部２００は、ＲＯＭ１６４またはＲＡＭ１６６によって実現される。なお、テレビ１０は、制御回路１６０の内部または外部に、ＲＯＭ、ＨＤＤ（Hard disk drive）、ＳＳＤ（Solid State Drive）等の他の記憶装置を備えていてもよく、この場合、記憶部２００は、これら他の記憶装置によって実現されてもよい。
【００３４】
（操作信号受信部２０２）
操作信号受信部２０２は、マウス２０の移動操作に応じた操作信号を、当該マウス２０から受信する。例えば、操作信号受信部２０２は、図１に示す外部機器インタフェース１５０によって実現される。
【００３５】
なお、テレビ１０は、複数の操作信号の組み合わせによって、マウス２０による一連のゼスチャーを特定するために、操作信号受信部２０２によって受信された操作信号を一時的に、メモリ等に格納しておいてもよい。
【００３６】
（ゼスチャー操作特定部２０４）
ゼスチャー操作特定部２０４は、操作信号受信部２０２によって受信された上記操作信号に基づいて、マウス２０によるゼスチャー操作を特定する。例えば、ゼスチャー操作特定部２０４は、図１に示すＣＰＵ１６２によって実現される。
【００３７】
（機能特定部２０６）
機能特定部２０６は、記憶部２００に記憶されている上記対応付けに基づいて、ゼスチャー操作特定部２０４によって特定された上記ゼスチャー操作に対応する、テレビ１０の機能を特定する。例えば、機能特定部２０６は、図１に示すＣＰＵ１６２によって実現される。
【００３８】
（リモコン信号受信部２０７）
リモコン信号受信部２０７は、リモコン３０の移動操作に応じたリモコン信号を、当該リモコン３０から受信する。例えば、リモコン信号受信部２０７は、図１に示す赤外線受光部１５５によって実現される。
【００３９】
（機能実行部２０８）
機能実行部２０８は、機能特定部２０６によって特定されたテレビ１０の機能を実行する。または、機能実行部２０８は、リモコン信号受信部２０７によって受信されたリモコン信号に従って、当該リモコン信号に対応する機能を実行する。
【００４０】
ここでいう“実行”には、機能実行部２０８自身が、機能を実行する場合、および、機能実行部２０８が、他の機能部に機能の実行を指示する場合を含む。例えば、選局機能の場合は、機能実行部２０８は、チューナ１１０へ当該機能の実行を指示する。また、音量調整機能の場合は、機能実行部２０８は、音声出力回路１３０へ当該機能の実行を指示する。例えば、機能実行部２０８は、図１に示すＣＰＵ１６２によって実現される。
【００４１】
〔遠隔操作制御処理の手順〕
次に、図３を参照して、本発明の第１実施形態に係るテレビ１０による、遠隔操作制御処理の手順について説明する。図３は、本発明の第１実施形態に係るテレビ１０による、遠隔操作制御処理の手順を示すフローチャートである。
【００４２】
まず、テレビ１０は、操作信号の受信を待機する（ステップＳ３０２）。テレビ１０は、操作信号を受信しない間（ステップＳ３０４：Ｎｏ）は、引き続き、操作信号の受信を待機する。一方、テレビ１０は、操作信号を受信すると（ステップＳ３０４：Ｙｅｓ）、当該操作信号に基づいて、マウス２０によるゼスチャー操作を特定する（ステップＳ３０６）。
【００４３】
そして、テレビ１０は、ステップＳ３０６で特定されたゼスチャー操作に対応する機能を特定する（ステップＳ３０８）。ステップＳ３０８において、上記ゼスチャー操作に対応する機能が特定できた場合（ステップＳ３０８：Ｙｅｓ）、テレビ１０は、当該機能を実行して（ステップＳ３１０）、ステップＳ３０２へ処理を戻す。
【００４４】
一方、ステップＳ３０８において、上記ゼスチャー操作に対応する機能が特定できなかった場合（ステップＳ３０８：Ｎｏ）、テレビ１０は、ステップＳ３０２へ処理を戻す。例えば、ゼスチャー操作に対応する機能が特定できなかった場合とは、そのゼスチャー操作に対応する機能が記憶部２００に登録されていない場合等が該当する。
【００４５】
このように、テレビ１０は、マウス２０による所定のゼスチャー操作が行われると、その都度、そのゼスチャー操作に応じた機能を実行するように構成されている。なお、テレビ１０は、リモコン３０から送信されたリモコン信号を受信した場合、当該リモコン信号に従って、当該リモコン信号に対応する機能を実行するようにも構成されている。
【００４６】
〔マウス操作信号の具体例〕
次に、図４を参照して、本発明の第１実施形態に係るテレビ１０が使用するマウス操作信号の具体例について説明する。図４は、本発明の第１実施形態に係るテレビ１０が使用するマウス操作信号のデータ構造を示す。
【００４７】
図４に示すように、本例のマウス操作信号は、４つのデータフィールドを有している。各データフィールドのサイズは１Ｂｙｔｅである。
【００４８】
先頭から１番目のデータフィールドは、ボタン操作を示す値が設定される。例えば、マウス２０が、左ボタン、右ボタン、およびホイールを備えているとする。この場合、当該１番目のデータフィールドには、各ボタン操作に応じて、以下の値が設定される。
【００４９】
０:左ボタン押下
１:右ボタン押下
２:ホイール押下
３:ホイール上方向操作
４:ホイール下方向操作
なお、ボタン操作を伴わないマウス操作の場合は、当該１番目のデータフィールドには、何も値が設定されないか、または、上記値以外の値が設定される。
【００５０】
先頭から２番目のデータフィールドは、Ｘ軸変化量を示す値（ベクトルデータ）が設定される。
【００５１】
先頭から３番目のデータフィールドは、Ｙ軸変化量を示す値（ベクトルデータ）が設定される。
【００５２】
先頭から４番目のデータフィールドは、空き領域である。
【００５３】
例えば、マウス２０からは、所定時間毎に、このようなデータ構造を有するマウス操作信号が送信されてくる。
【００５４】
〔ゼスチャー操作の具体例〕
次に、図５を参照して、本発明の第１実施形態に係るテレビ１０が対象とするゼスチャー操作の具体例について説明する。図５は、本発明の第１実施形態に係るテレビ１０が対象とするゼスチャー操作の具体例を示す。図５では、以下に示すゼスチャー操作１〜１０が、テレビ１０が対象とするゼスチャー操作として、例示されている。以下に、各ゼスチャー操作の操作パターンと、各ゼスチャー操作に対応付けられている機能を説明する。
【００５５】
なお、テレビ１０において、以下に示すゼスチャー操作１〜１０は、マウス２０の右ボタンが押下されたまま、このようなゼスチャー操作が行われた場合に、有効であり、マウス２０の右ボタンが押下されずに、このようなゼスチャー操作が行われた場合、無効である。この場合において、右ボタンの押下は、他のボタンの押下に変更され得る。
【００５６】
（ゼスチャー操作１）
上方向または下方向への直線：音量の増加または低減。
【００５７】
（ゼスチャー操作２）
左方向または右方向への直線：降順または昇順による選局。
【００５８】
（ゼスチャー操作３）
下方向への直線＋右方向への直線（すなわち、Ｌ字を描く）：未設定（ユーザが任意に機能を割り当てることが可能）。
【００５９】
（ゼスチャー操作４）
上記（ゼスチャー操作３）を２回続けて行う（すなわち、Ｌ字を２回つなげて描く）：未設定（ユーザが任意に機能を割り当てることが可能）。
【００６０】
（ゼスチャー操作５）
上方向への直線＋右方向（または左方向）への直線：未設定（ユーザが任意に機能を割り当てることが可能）。
【００６１】
（ゼスチャー操作６）
右回り円弧（すなわち、時計回りに円を描く）：入力切り替え。例えば、ゼスチャー操作６が行われると、テレビ１０は、チューナ入力、外部入力を順次切り替える。
【００６２】
（ゼスチャー操作７）
右回り二重円弧（すなわち、時計回りに２周円を描く）：未設定（ユーザが任意に機能を割り当てることが可能）。
【００６３】
（ゼスチャー操作８）下方向への直線＋右方向への直線＋上方向への直線（すなわち、角ばったＵ字を描く）：未設定（ユーザが任意に機能を割り当てることが可能）。
【００６４】
（ゼスチャー操作９）
左斜め下方向への直線＋右斜め下方向への直線＋左斜め下方向への直線（すなわち、ジグザグのＳ字を描く）：検索。例えば、表示中の任意の文字列が選択されている状態で、当該ゼスチャー操作９が行われた場合、テレビ１０は、選択された文字列をキーワードとする、インターネット検索を行う。
【００６５】
（ゼスチャー操作１０）
右斜め上方向（または左斜め下方向）への直線：２画面表示から１画面表示（または１画面表示から２画面表示）への切り替え。
【００６６】
テレビ１０の記憶部２００には、このようなゼスチャー操作と機能との対応付けが、記憶されている。これにより、テレビ１０の機能特定部２０６は、テレビ１０が実行すべき機能を特定することができる。
【００６７】
なお、テレビ１０は、ユーザが任意のゼスチャー操作に対して、任意の機能を設定することが可能となっている。すなわち、記憶部２００に対して、任意の上記対応付けを追加することが可能となっている。上記任意のゼスチャー操作は、予め複数用意されていてもよく、ユーザが描画等の方法により追加したものであってもよい。
【００６８】
〔ゼスチャー操作の認識方法〕
次に、図６を参照して、テレビ１０によるゼスチャー操作の認識方法について説明する。図６は、図５に示す各ゼスチャー操作に対応する、複数の移動操作の組み合わせを示す。
【００６９】
ゼスチャー操作特定部２０４は、マウス２０から受信した操作信号に基づいて、複数の移動操作の組み合わせを特定し、当該組み合わせにより、マウス２０によるゼスチャー操作を特定することができる。以下にその具体例を説明するが、ゼスチャー操作特定部２０４によるゼスチャー操作の特定方法は、これに限定されない。
【００７０】
まず、ゼスチャー操作特定部２０４は、マウス２０による移動操作毎（例えば、所定時間毎、操作信号を受信する毎、所定処理の軌跡が描かれる毎）に、その操作方向が、予め定められた複数の操作方向のいずれに該当するかを特定する。例えば、テレビ１０においては、上方向、下方向、右方向、左方向、左上方向、左下方向、右上方向、および右下方向が、上記複数の操作方向として予め定められている。
【００７１】
例えば、ゼスチャー操作特定部２０４は、操作信号に示されている、Ｘ軸の変化量の値およびＹ軸の変化量の値から、実操作方向を特定する。そして、上記８種類の操作方向の中から、この実操作方向に最も近似する方向を、ゼスチャー操作の判定に用いる方向として特定する。
【００７２】
そして、ゼスチャー操作特定部２０４は、このようにして特定した操作方向を複数組み合わせ、当該組み合わせに対応するゼスチャー操作を、マウス２０によって行われたゼスチャー操作として特定する。例えば、図６に示すように、テレビ１０においては、複数の上記組み合わせが、ゼスチャー操作毎に定義されている。ゼスチャー操作特定部２０４は、この定義に基づき、特定した上記組み合わせから、マウス２０によるゼスチャー操作を特定することができる。
【００７３】
以上のように、本実施形態のテレビ１０は、マウス２０によってゼスチャー操作が行われると、マウス２０から受信した操作信号に基づいて、マウス２０によるゼスチャー操作を特定し、特定されたゼスチャー操作に対応する機能を実行することができる。
【００７４】
特に注目すべきは、これらの処理をテレビ１０内部においてソフトウェア的に行うことである。このため、テレビ１０として、少なくともマウス２０から操作信号を受け取ることが可能なものであればよく、様々なテレビジョン受像機を用いることができる。また、特別なハードウェアを追加することなく、テレビジョン受像機の機能をソフトウェア的に拡張することで、ゼスチャー操作によるテレビジョン受像機の遠隔操作を実現することができる。これにより、上記遠隔操作を、容易かつ低コストで実現することができる。
【００７５】
また、マウス２０からは、操作信号を受け取るだけでよいため、マウス２０として、例えばパーソナルコンピュータ用の汎用的なものを用いることができる。これにより、ゼスチャー操作によるテレビジョン受像機の遠隔操作を、容易かつ低コストで実現することができる。特に、マウス２０として、有線接続されたものを用いることにより、マウス２０の向きや周囲の環境によらず、より確実に操作信号をテレビ１０へ伝達することができる。
【００７６】
〔第２実施形態〕
次に、本発明の第２実施形態について説明する。第２実施形態のテレビ１０は、ゼスチャー操作に対応する機能が特定されると、一旦、その機能に対応するリモコン信号を生成する点で、第１実施形態のテレビ１０と異なる。以下、第１実施形態からの変更点について説明する。その他の点については、第１実施形態と同様のため、説明を省略する。
【００７７】
図７は、本発明の第２実施形態に係るテレビ１０の機能構成を示すブロック図である。第２実施形態のテレビ１０は、リモコン信号生成部２１０をさらに備える点で、第１実施形態（図１）のテレビ１０と異なる。
【００７８】
（リモコン信号生成部２１０）
リモコン信号生成部２１０は、機能特定部２０６によって特定された機能に対応する、テレビ１０のリモコン信号を生成する。これに応じて、機能実行部２０８は、リモコン信号生成部２１０によって生成されたリモコン信号に従って、機能特定部２０６によって特定された機能を実行する。
【００７９】
例えば、記憶部２００には、テレビ１０の機能（またはゼスチャー操作）とリモコン信号との対応付けが記憶されている。したがって、リモコン信号生成部２１０は、上記対応付けを参照することにより、機能特定部２０６によって特定された機能（すなわち、ゼスチャー操作特定部２０４によって特定されたゼスチャー操作）に対応するリモコン信号を生成することができる。例えば、リモコン信号生成部２１０は、図１に示すＣＰＵ１６２によって実現される。
【００８０】
図８は、本発明の第２実施形態に係るテレビ１０による、遠隔操作制御処理の手順を示すフローチャートである。第２実施形態のテレビ１０による遠隔操作制御処理の手順は、以下の点で、第１実施形態のテレビ１０による遠隔操作制御処理の手順（図３）と異なる。
【００８１】
第２実施形態のテレビ１０は、ステップＳ３０８において、ゼスチャー操作に対応する機能が特定できた場合（ステップＳ３０８：Ｙｅｓ）、特定された機能に対応するリモコン信号を生成する（ステップＳ３０９）。そして、テレビ１０は、ステップＳ３０９で生成されたリモコン信号に従って、特定された上記機能を実行して（ステップＳ３１０）、ステップＳ３０２へ処理を戻す。
【００８２】
このように、本実施形態のテレビ１０は、ゼスチャー操作に応じた機能のリモコンコードを、一旦内部的に生成している。このため、リモコンによって遠隔操作が可能な機種であれば、機能実行部２０８として既存の機能を流用することができるため、本実施形態のテレビ１０の機能を容易に実現することができる。
【００８３】
なお、第２実施形態においても、テレビ１０は、リモコン３０による遠隔操作が可能であり、リモコン３０から送信され、赤外線受光部１５５によって受信されたリモコン信号に従って、当該リモコン信号に対応する機能を実行することができる。
【００８４】
〔第３実施形態〕
次に、本発明の第３実施形態について説明する。この第３実施形態では、マウス２０とテレビ１０との間に設けられた変換アダプタ２５によってリモコン信号を生成し、当該リモコン信号が変換アダプタ２５からテレビ１０へ送信される点で、第２実施形態と異なる。以下、第２実施形態からの変更点について説明する。その他の点については、第２実施形態と同様のため、説明を省略する。
【００８５】
（変換アダプタ２５の概要）
この第３実施形態において、変換アダプタ２５は、マウス２０とテレビ１０との間に介在可能な装置である。この変換アダプタ２５は、マウス２０から操作信号を受信し、当該操作信号（ゼスチャー操作）に応じたリモコン信号をテレビ１０へ送信することができる。このため、変換アダプタ２５は、プロセッサ、記憶装置、インタフェース等のデバイスを備えている。
【００８６】
マウス２０から操作信号を受信するためのインタフェースは、有線および無線を問わず、どのようなものであってもよいが、好ましくは、マウス２０に汎用的に用いられているインタフェース（例えば、ＵＳＢインタフェース等）である。
【００８７】
同様に、テレビ１０へリモコン信号を送信するためのインタフェースは、有線および無線を問わず、どのようなものであってもよいが、好ましくは、テレビ１０に汎用的に用いられているインタフェース（例えば、赤外線インタフェース、ＨＤＭＩ、ＵＳＢインタフェース等）である。
【００８８】
（変換アダプタ２５の機能）
図９は、本発明の第３実施形態に係るテレビ１０および変換アダプタ２５の機能構成を示すブロック図である。
【００８９】
図９に示すように、変換アダプタ２５は、記憶部２２０、操作信号受信部２２２、ゼスチャー操作特定部２２４、機能特定部２２６、リモコン信号生成部２２８、およびリモコン信号送出部２３０を備えている。
【００９０】
（記憶部２２０）
記憶部２２０は、マウス２０によるゼスチャー操作と、テレビ１０が備えるテレビ機能との対応付けを記憶する。例えば、記憶部２２０は、変換アダプタ２５が備える記憶装置（例えば、ＲＯＭ、ＲＡＭ等。図示省略）によって実現される。
【００９１】
（操作信号受信部２２２）
操作信号受信部２２２は、マウス２０の移動操作に応じた操作信号を、マウス２０から受信する。例えば、操作信号受信部２２２は、変換アダプタ２５が備えるインタフェース（例えば、ＵＳＢインタフェース等、マウス２０との通信が可能な何らかのインタフェース。図示省略）によって実現される。
【００９２】
（ゼスチャー操作特定部２２４）
ゼスチャー操作特定部２２４は、操作信号受信部２２２によって受信された上記操作信号に基づいて、マウス２０によるゼスチャー操作を特定する。ゼスチャー操作特定部２２４によるゼスチャー操作の特定方法は、上述したとおりである。例えば、ゼスチャー操作特定部２２４は、変換アダプタ２５が備えるプロセッサ（図示省略）によって実現される。
【００９３】
（機能特定部２２６）
機能特定部２２６は、記憶部２２０に記憶されている上記対応付けに基づいて、ゼスチャー操作特定部２２４によって特定された上記ゼスチャー操作に対応する、テレビ１０の機能を特定する。機能特定部２２６による機能の特定方法は、上述したとおりである。例えば、機能特定部２２６は、変換アダプタ２５が備えるプロセッサによって実現される。
【００９４】
（リモコン信号生成部２２８）
リモコン信号生成部２２８は、機能特定部２２６によって特定された機能に対応する、テレビ１０のリモコン信号を生成する。例えば、記憶部２２０には、テレビ１０の機能（またはゼスチャー操作）とリモコン信号との対応付けが記憶されている。したがって、リモコン信号生成部２２８は、上記対応付けを参照することにより、機能特定部２２６によって特定された機能（すなわち、ゼスチャー操作特定部２２４によって特定されたゼスチャー操作）に対応するリモコン信号を生成することができる。例えば、リモコン信号生成部２２８は、変換アダプタ２５が備えるプロセッサによって実現される。
【００９５】
（リモコン信号送出部２３０）
リモコン信号送出部２３０は、リモコン信号生成部２２８によって生成されたリモコン信号を送出する。例えば、リモコン信号送出部２３０は、変換アダプタ２５が備える赤外線発光部（図示省略）によって実現される。
【００９６】
（テレビ１０の機能）
一方、テレビ１０は、リモコン信号受信部２０７および機能実行部２０８を備えている。
【００９７】
（リモコン信号受信部２０７）
リモコン信号受信部２０７は、リモコン３０の移動操作に応じたリモコン信号を、当該リモコン３０から受信する。また、リモコン信号受信部２０７は、マウス２０の移動操作に応じたリモコン信号を、変換アダプタ２５から受信する。例えば、リモコン信号受信部２０７は、図１に示す赤外線受光部１５５によって実現される。
【００９８】
（機能実行部２０８）
機能実行部２０８は、リモコン信号受信部２０７によって受信されたリモコン信号に従って、当該リモコン信号に対応する機能を実行する。例えば、機能実行部２０８は、図１に示すＣＰＵ１６２によって実現される。
【００９９】
図１０は、本発明の第３実施形態に係るテレビ１０および変換アダプタ２５による、遠隔操作制御処理の手順を示すシーケンス図である。
【０１００】
まず、マウス２０において、マウス操作が行われると、変換アダプタ２５は、当該マウス操作に応じた操作信号を、マウス２０から受信する（ステップＳ３５２）。そして、変換アダプタ２５は、当該操作信号に基づいて、マウス２０によるゼスチャー操作を特定する（ステップＳ３５４）。
【０１０１】
そして、変換アダプタ２５は、ステップＳ３５４で特定されたゼスチャー操作に対応する機能を特定する（ステップＳ３５６）。さらに、変換アダプタ２５は、ステップＳ３５６で特定された機能に対応するリモコン信号を生成し（ステップＳ３５８）、当該リモコン信号をテレビ１０へ送出する（ステップＳ３６０）。
【０１０２】
テレビ１０は、変換アダプタ２５から送信されてきたリモコン信号を受信すると（ステップＳ３６２）、当該リモコン信号に対応する機能を実行する（ステップＳ３６４）。
【０１０３】
本実施形態によれば、マウス２０によるゼスチャー操作に応じた機能のリモコン信号を変換アダプタ２５で生成して、テレビ１０へ送信する。このため、汎用的なマウス２０と既存のテレビ１０との組み合わせであっても、双方の機器をなんらカスタマイズすることなく、変換アダプタ２５を設置するだけで、マウス２０のゼスチャー操作によるテレビ１０の遠隔操作を実現することができる。
【０１０４】
なお、変換アダプタ２５は、テレビ１０のメーカーおよび機種に応じたリモコンコードを生成することができるように、メーカーおよび機種毎のリモコンコードを格納し、送出するリモコンコードを切り替えることができるように構成されていてもよい。これにより、メーカーおよび機種が異なる様々なテレビを、マウス２０によって遠隔操作することが可能となる。
【０１０５】
第３実施形態においても、テレビ１０は、リモコン３０による遠隔操作が可能であり、リモコン３０から送信され、赤外線受光部１５５によって受信されたリモコン信号に従って、当該リモコン信号に対応する機能を実行することができる。
【０１０６】
〔第３実施形態の変形例〕
第３実施形態において、変換アダプタ２５をマウス２０の内部に設ける構成へと、変形し得る。すなわち、マウス２０が、図９に示す変換アダプタ２５の各機能を備え、図１０に示す変換アダプタ２５の各処理を実行するように、第３実施形態を変形してもよい。
【０１０７】
この変形例によれば、マウス２０によるゼスチャー操作に応じた機能のリモコン信号を当該マウス２０で生成して、テレビ１０へ送信する。このため、変換アダプタ２５のような追加の機器の設置や、テレビ１０のカスタマイズが必要なく、マウス２０のゼスチャー操作によるテレビ１０の遠隔操作を実現することができる。
【０１０８】
（プログラム、記憶媒体）
実施形態で説明したテレビ１０の各機能は、集積回路（ＩＣチップ）上に形成された論理回路によってハードウェア的に実現してもよいし、ＣＰＵ（Central Processing Unit）を用いてソフトウェア的に実現してもよい。
【０１０９】
例えば、テレビ１０は、各機能を実現するプログラムの命令を実行するＣＰＵ、上記プログラムを格納したＲＯＭ、上記プログラムを展開するＲＡＭ、上記プログラム及び各種データを格納するメモリ等の各種記憶装置（記録媒体）を備えている。そして、上記ＣＰＵが、上記各種記憶装置に格納されているプログラムを読み出し、このプログラムを実行することによって、テレビ１０の各機能を実現することができる。
【０１１０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類等を用いることができる。
【０１１１】
なお、上記プログラムは、通信ネットワークを介してテレビ１０に供給されてもよい。この通信ネットワークは、少なくとも上記プログラムをテレビ１０に伝送可能であればよく、その種類はどのようなものであっても良い。例えば、通信ネットワークとしては、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【０１１２】
また、上記プログラムをテレビ１０に供給するための伝送媒体としても、どのような種類のものを利用しても良い。例えば、伝送媒体として、ＩＥＥＥ１３９４、ＵＳＢ、電力線搬送、ケーブルＴＶ回線、電話線、ＡＤＳＬ（Asymmetric Digital Subscriber Line）回線等の有線によるものを利用しても良い。また、伝送媒体として、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ、携帯電話網、衛星回線、地上波デジタル網等の無線によるものを利用しても良い。
【０１１３】
（補足事項）
本発明は上述した各実施形態に限定されるものではなく、請求項に示した範囲で種々の変更が可能であり、また、異なる実施形態にそれぞれ開示された技術的手段を適宜組み合わせて得られる実施形態についても本発明の技術的範囲に含まれる。
【０１１４】
（適用対象装置）
本実施形態では、本発明をチューナ一体型のテレビジョン受像機に適用する例を説明した。本発明は、少なくとも、チューナ機能を備えた装置であれば、どのような装置にも適用することができる。例えば、本発明は、チューナ別体型のテレビジョン受像機、チューナ単体、各種レコーダ機器等にも、適用することができる。
【０１１５】
（操作入力体）
また、本実施形態では、本発明の操作入力体としてマウスを用いたが、少なくとも、移動操作の移動方向および移動量を示す信号を出力可能な操作入力体であれば、他の操作入力体（例えば、ペン、トラックボール、タッチパッド等のポインティングデバイス）を用いることもできる。
【０１１６】
〔まとめ〕
以上のように、本実施形態の制御装置（制御回路１６０）は、放送受信装置（テレビ１０）用の制御装置であって、操作入力体（マウス２０）の移動操作に応じた操作信号を、当該操作入力体受信する操作信号受信手段（操作信号受信部２０２）と、前記操作信号受信手段によって受信された前記操作信号に基づいて、前記操作入力体によるゼスチャー操作を特定するゼスチャー操作特定手段（ゼスチャー操作特定部２０４）と、前記ゼスチャー操作特定手段によって特定された前記ゼスチャー操作に対応する、前記放送受信装置の機能を特定する機能特定手段（機能特定部２０６）と、前記機能特定手段によって特定された前記機能を実行する機能実行手段（機能実行部２０８）とを備えることを特徴とする。
【０１１７】
この制御装置によれば、操作入力体による放送受信装置の直感的な遠隔操作を実現することができる。特に、上記各手段を放送受信装置側に設けたため、特別なハードウェアを追加することなく、放送受信装置の機能を拡張することにより、既存の機能を有効利用しつつ、上記遠隔操作を容易かつ低コストで実現することができる。また、操作入力体からは、操作信号を受け取るだけでよいため、操作入力体として、例えばパーソナルコンピュータ用の汎用的なものを用いることができる。これにより、上記遠隔操作を、容易かつ低コストで実現することができる。
【０１１８】
上記制御装置において、前記操作入力体は前記放送受信装置と有線接続されたものであることが好ましい。
【０１１９】
この構成によれば、操作体の向きや周囲の環境によらず、確実に操作信号を放送受信装置へ伝達することができる。このため、ゼスチャー操作による放送受信装置のより確実な遠隔操作を実現することができる。
【０１２０】
上記制御装置において、前記操作入力体は、マウスであることが好ましい。
【０１２１】
この構成によれば、ユーザの手元で行われた移動操作であり、かつ移動距離が少ない２次元的な移動操作であっても、その操作内容を確実に放送受信装置へ伝達することができる。特に、マウスは、パーソナルコンピュータ等に広く用いられている入力デバイスであるため、ユーザは、違和感を覚えることなく無く、容易且つ簡単な操作で、放送受信装置を遠隔操作することができる。さらに、マウスとしては様々な形態のものが流通しているため、ユーザがより自分に適したものを選択することで、上記遠隔操作の操作性を向上することができる。
【０１２２】
上記制御装置において、ユーザにより、任意の前記ゼスチャー操作に対して、任意の前記機能を割り当てることが可能であることが好ましい。
【０１２３】
この構成によれば、ユーザにとってより使い勝手の良い上記遠隔操作を実現することができる。
【０１２４】
上記制御装置において、前記機能特定手段によって特定された前記機能に対応する、前記放送受信装置のリモコン信号を生成するリモコン信号生成手段をさらに備え、前記機能実行手段は、前記リモコン信号生成手段によって生成された前記リモコン信号に従って、前記機能特定手段によって特定された前記機能を実行することが好ましい。
【０１２５】
この構成によれば、上記機能実行手段として、すでに放送受信装置に備えられているものを利用することができるため、放送受信装置のより少ない機能拡張により、放送受信装置の直感的な遠隔操作を実現することができる。
【０１２６】
上記制御装置において、前記ゼスチャー操作特定手段は、前記操作信号に基づいて、前記操作入力体による複数の移動操作の組み合わせを特定し、特定された前記組み合わせに基づいて、前記操作入力体によるゼスチャー操作を特定することが好ましい。
【０１２７】
この構成によれば、ゼスチャー操作を単純化することができる。これにより、例えば、ゼスチャー操作を特定するための処理ロジックを簡素なものとすることができる。また、また、マウス以外の十字キーなどによるコマンド入力によって、マウスのゼスチャー操作を代替することができる。
【０１２８】
上記制御装置において、前記ゼスチャー操作は、前記操作入力体の所定のボタンを押しながらの前記操作入力体の移動操作を含むことが好ましい。
【０１２９】
この構成によれば、ユーザが意図しないマウスの移動により、放送受信装置の誤った遠隔操作がなされてしまうことを回避することができる。また、マウスを、通常（所定のボタンが押下されていない状態のとき）はポインタとして機能させつつ、必要に応じてリモコンとして機能させることができる。
【０１３０】
また、本実施形態のテレビジョン受像機は、上記制御装置を備えることを特徴とする。
【０１３１】
また、本実施形態の他の制御装置（変換アダプタ２５）は、放送受信装置用の制御装置であって、操作入力体の移動操作に応じた操作信号を、当該操作入力体から受信する操作信号受信手段と、前記操作信号受信手段によって受信された前記操作信号に基づいて、前記操作入力体によるゼスチャー操作を特定するゼスチャー操作特定手段と、前記ゼスチャー操作特定手段によって特定された前記ゼスチャー操作に対応する、前記放送受信装置の機能を特定する機能特定手段と、前記機能特定手段によって特定された前記機能に対応する、当該放送受信装置のリモコン信号を生成するリモコン信号生成手段と、前記リモコン信号生成手段によって生成された前記リモコン信号を送出するリモコン信号送出手段とを備えることを特徴とする。
【０１３２】
また、本実施形態の制御方法は、放送受信装置の制御方法であって、操作入力体の移動操作に応じた操作信号を、当該操作入力体から受信する操作信号受信工程と、前記操作信号受信工程において受信された前記操作信号に基づいて、前記操作入力体によるゼスチャー操作を特定するゼスチャー操作特定工程と、前記ゼスチャー操作特定工程において特定された前記ゼスチャー操作に対応する、前記放送受信装置の機能を特定する機能特定工程と、前記機能特定工程において特定された前記機能を実行する機能実行工程とを含むことを特徴とする。
【０１３３】
また、本実施形態のプログラムは、コンピュータを上記制御装置として機能させるためのプログラムであって、上記コンピュータを上記制御装置が備える上記各手段として機能させる。
【０１３４】
また、本実施形態の記録媒体は、上記プログラムを記録しているコンピュータ読み取り可能な記録媒体である。
【０１３５】
上記テレビジョン受像機、上記他の制御装置、上記制御方法、上記プログラム、および上記記録媒体によれば、上記制御装置と同様の効果を奏することができる。
【産業上の利用可能性】
【０１３６】
本発明は、遠隔操作が可能な各種放送受信装置（例えば、テレビジョン受像機、チューナ機器、レコーダ機器等）に利用することができる。
【符号の説明】
【０１３７】
１０    テレビ（放送受信装置）
２０    マウス（操作入力体）
２５    変換アダプタ（制御装置）
３０    リモコン
１１０  チューナ
１２０  表示制御回路
１２２  ディスプレイ
１３０  音声出力回路
１３２  スピーカ
１４０  通信インタフェース
１５０  外部機器インタフェース
１５５  赤外線受光部
１６０  制御回路（制御装置）
１６２  ＣＰＵ
１６４  ＲＯＭ
１６６  ＲＡＭ
２００  記憶部
２０２  操作信号受信部（操作信号受信手段）
２０４  ゼスチャー操作特定部（ゼスチャー操作特定手段）
２０６  機能特定部（機能特定手段）
２０７  リモコン信号生成部（リモコン信号生成手段）
２０８  機能実行部（機能実行手段）
【図１】
2014068074.tif 000003
【図２】
2014068074.tif 000004
【図３】
2014068074.tif 000005
【図４】
2014068074.tif 000006
【図５】
2014068074.tif 000007
【図６】
2014068074.tif 000008
【図７】
2014068074.tif 000009
【図８】
2014068074.tif 000010
【図９】
2014068074.tif 000011
【図１０】
2014068074.tif 000012